(57)【要約】  【課題】タッチの重さの調整が簡便な鍵盤装置を提供する。  【解決手段】支持部材４０と、該支持部材に対し移動自在に配設された鍵１０と、支持部材４０に対し移動自在に配設され鍵１０の操作に連動する質量体２０とを有する鍵盤装置において、質量体２０に空洞を形成することにより収納部２４が設けられ、磁性体を備えた錘部材２３が空洞内に移動可能に収納され、該空洞内における錘部材２３の位置が磁界制御手段５０により外部から制御可能とされている鍵盤装置。【選択図】図１
2009092861.tif 000002
【特許請求の範囲】
【請求項１】
支持部材と、該支持部材に対し移動自在に配設された鍵と、前記支持部材に対し移動自在に配設され前記鍵の操作に連動する質量体とを有する鍵盤装置において、前記質量体に空洞を形成することにより収納部が設けられ、磁性体を備えた錘部材が前記空洞内に移動可能に収納され、該空洞内における前記錘部材の位置が磁界制御手段により外部から制御可能とされていることを特徴とする鍵盤装置。
【請求項２】
前記空洞内に、前記錘の移動後の分布状態を区分する少なくとも１つの仕切り部が設けられていることを特徴とする請求項１に記載の鍵盤装置。
【請求項３】
前記収納部が、前記空洞に臨む位置に少なくとも１個の永久磁石を備えていることを特徴とする請求項１又は２に記載の鍵盤装置。
【請求項４】
前記錘の位置を制御するための磁界制御手段が、鍵並び方向に延びる長尺部材に装着され、該長尺部材が鍵奥行き方向に位置調節可能とされていることを特徴とする請求項１から３のいずれかに記載の鍵盤装置。
【請求項５】
前記磁性体が微粒子又は流体であることを特徴とする請求項１から４のいずれかに記載の鍵盤装置。
【請求項６】
前記空洞が、非押鍵状態において水平方向に長く延びた形状とされていることを特徴とする請求項１から５のいずれかに記載の鍵盤装置。
【発明の詳細な説明】
【技術分野】
【０００１】
本発明は、電子ピアノ、エレクトーン等の電子鍵盤楽器のための鍵盤装置に関する。
【背景技術】
【０００２】
電子鍵盤楽器の鍵盤装置は、鍵盤を押し下げるのに要する力（いわゆるタッチの重さ）が、演奏時の弾きやすさや音楽表現に影響するため、その設定の最適化が望まれる。通常の電子鍵盤楽器用鍵盤装置は、鍵と連動する質量体（揺動フレーム）に錘を結合することにより、回動時の慣性力で押鍵に対する抵抗力を与える構造となっている（例えば、特許文献１）。したがって、製造された段階で、タッチの重さが適切となるように、錘の重さが決められている。
【０００３】
しかしながら、適切なタッチの重さというのは、感覚的な要素もあり、様々な設定の仕方がある。例えば、特許文献２によれば、鍵と連動する質量体に設けた閉空間内に多数の細粒を錘として収納した鍵盤装置が提案されている。この鍵盤装置は、押鍵時に細粒が閉空間内で移動可能であるので、強い押鍵時には細粒が移動して感触が和らぎ、弱い押鍵時には細粒が移動しないで錘作用が強く働いて比較的重いタッチ感を与え、演奏性を高めるとされている。しかしながら、この構造では、製造時に設定された細粒錘は変えることができず、製造後にタッチ感の変更ができない。
【０００４】
製造後にもタッチの重さを変更できる鍵盤装置として、質量体の錘をねじ付きボルト上に取付け、錘を回転することによりねじに沿ってその位置を調整できるようにした構造のもの（例えば、特許文献３）等が提案されている。これによれば、製造後に錘の位置を変えることにより、タッチの重さを調整することができる。しかしながら、この構造では、質量体の錘に操作を及ぼすためには、楽器本体から鍵盤を取り外す等の作業が必要であり、タッチ感の調整が面倒であった。
【特許文献１】特許第３０６０９３０号公報
【特許文献２】特開平８−１６１５３９号公報
【特許文献３】実公平５−８６３５号公報
【発明の開示】
【発明が解決しようとする課題】
【０００５】
本発明は、上記従来技術の問題を解決し、タッチの重さの調整が簡便な鍵盤装置を提供することを目的とする。
【課題を解決するための手段】
【０００６】
本発明は、前記目的を達成するため、支持部材と、該支持部材に対し移動自在に配設された鍵と、前記支持部材に対し移動自在に配設され前記鍵の操作に連動する質量体とを有する鍵盤装置において、前記質量体に空洞を形成することにより収納部が設けられ、磁性体を備えた錘部材が前記空洞内に移動可能に収納され、該空洞内における前記錘部材の位置が磁界制御手段により外部から制御可能とされていることを特徴とする鍵盤装置を提供するものである。
【発明の効果】
【０００７】
本発明においては、鍵と連動する質量体に空洞を形成することにより収納部が設けられ、磁性体を備えた錘部材が前記空洞内に移動可能に収納され、該空洞内における前記錘部材の位置が磁界制御手段により外部から制御可能とされている。したがって、楽器本体に対する面倒な作業を要することなく外部操作により簡便にタッチの重さを調整することができる。これにより、ユーザ自らも演奏時の好みに合わせるなどしてタッチの重さを調整することが可能となる。
【０００８】
前記空洞内には、前記錘の移動後の分布状態を区分する少なくとも１つの仕切り部を設けることができる。これにより、錘は、磁界制御による移動後に、仕切り部により分布状態を保持されるので、制御後の状態が確保され、安定したタッチ感が得られる。
【０００９】
前記収納部は、前記空洞に臨む位置に少なくとも１個の永久磁石を備えることができる。これにより、空洞内の錘は、磁界制御による移動後に、永久磁石の吸引力で位置が確保され、安定したタッチ感が得られる。特に、永久磁石を複数箇所に設けた場合は、磁界制御による移動箇所に対応して永久磁石による位置確保が行なわれるので、より安定したタッチ感が得られる。
【００１０】
前記錘の位置を制御するための磁界制御手段は、鍵並び方向に延びる長尺部材に装着され、該長尺部材が鍵奥行き方向に位置調節可能とされたものとすることができる。この制御手段によれば、複数の鍵に対する磁界制御を長尺部材の移動により一括して行なうことができ、調整がより簡便となる。
【００１１】
前記磁性体は微粒子又は流体とすることができる。こうすることにより、磁性体は滑らかに移動するので、移動の際の衝突音が減少し、雑音として聞こえるのを防止することができる。磁性体を備えた錘部材は、錘部材全体が磁性を有する物で構成されている場合、磁性を有する物を一部に含んで構成される場合、及び、これらの混在で構成される場合を含む。
【００１２】
前記空洞は、非押鍵状態において水平方向に長く延びた形状とすることができる。この空洞形状を備えることにより、磁界制御手段も水平に配置することができ、制御構造が簡易化され高い制御精度も得やすくなる。さらに、磁界制御手段を空洞に沿って水平方向に位置調節可能なものとすることにより、単一の又はより少ない数の制御手段での制御が可能となる。
【発明を実施するための最良の形態】
【００１３】
以下、本発明の実施形態について添付図面を参照しつつ説明する。図面中の同一又は同種の部分については、同じ番号を付して説明を省略することがある。
【００１４】
図１は、本発明に係る鍵盤装置の一実施形態を前後方向に沿う断面で示している。この鍵盤装置は、電子鍵盤楽器に組み込まれるものであり、鍵が押し下げられたときに、検出手段が鍵の動作を検出し、検出信号を発するものである。検出信号は、図外の楽音信号生成手段に送られ、電子鍵盤楽器の楽音発生手段からピアノ、オルガンその他の楽音が発せられる。以下の実施形態の説明においては、鍵盤装置における演奏者に近い側を前、遠い側を後ろとして記載する。
【００１５】
図中、実線は非押鍵状態、一点鎖線は押鍵状態を示す。この鍵盤装置は、鍵１０、鍵と連動する質量体２０、鍵の動作に起因して楽音発生信号を発する鍵動作検出手段（鍵スイッチ）３０、及びこれらの支持部材である鍵盤フレーム４０を備えている。鍵動作検出手段３０は、機械的、電気的又は光学的なスイッチ、センサ等とされ、鍵自身又はその連動部材の動作に感応することにより、鍵の回動を検出する。質量体２０は、鍵盤フレーム４０に保持された回動支点４１を中心に鍵の動作に伴って回動する回動部材２１と、錘部材２３とを備えている。
【００１６】
回動部材２１は、鍵盤装置の前後方向に細長く延びており、前寄り部分を回動支点４１で回動可能に支持されている。鍵１０は、後端部を支点１２により回動可能に支持されており、前部下面からは、アクチュエータ１１が下方へ延びている。アクチュエータ１１は、下部で２つに分岐し、後方部分の下部はさらに左右に分岐して左右両壁間にピン１１０が延びている。回動部材２１の先端部は、上下方向に２股に分岐しており、その分岐部間の溝２２にピン１１０が位置している。これにより、鍵１０が上下動すると、ピン１１０に伴われて回動部材２１は回動支点４１回りに回動する。
【００１７】
アクチュエータ１１の前方部分の下方には、鍵動作検出手段３０が配置されており、押鍵時にアクチュエータ１１の下端が接触又は接近することにより、検知信号を出力し、図外の発音制御のための制御部に送られる。
【００１８】
質量体２０は、非押鍵時には自重で後端部が下ストッパ４２に支持されており、押鍵時には、回動して上ストッパ４３に当接し停止する。これにより、押鍵ストロークの最大幅が決まり、アクチュエータ１１は最大下降位置の直前で鍵動作検出手段３０を作動させる。
【００１９】
回動部材２１は、回動支点４１付近から後方へ細長く筒状に延びた空洞により形成された収納部２４を備えている。図には表されていない紙面手前側及び奥側に位置する側壁により収納部２４は閉じた空間とされており、回動部材２１の幅（紙面奥行き方向の寸法）は、１つの鍵の幅（鍵並び方向の寸法）に納まるように決められる。
【００２０】
収納部２４の空洞内には鋼鉄等の磁性を有する錘部材２３が移動可能に保持されている。この実施形態では、錘部材２３は、球形の塊状であり、２個配置されている。これらの錘部材２３は、回動部材２１の一部（例えば側壁の一方）を開閉可能とし、該部分を開いて収納部２４内に収納される。
【００２１】
収納部２４の上下面には、ライナー２５が張設されている。ライナー２５は、フェルト等の繊維材料やゴム、軟質プラスチック等で形成され、収納部２４内における錘部材２３の柔軟性をもって支持するクッションの役割をなすと共に、錘部材２３移動時のガイド部材にもなっている。。
【００２２】
鍵盤フレーム４０における収納部２４の下方の位置には、磁界制御手段５０の複数の電磁石５１が取り付けられている。この実施形態では、４個の電磁石５１（５１ａ，５１ｂ，５１ｃ，５１ｄ）が前後方向に並び、各々磁極を回動部材２１の下面に向けている。磁界制御手段５０は、さらに電磁石５１への通電のオン・オフや強弱の制御を行なう制御部５２、及び該制御部に対して励起すべき磁石の選択信号を送るための操作部５３を備えている。制御部５２は、鍵盤フレーム４０又は電子鍵盤楽器本体の適宜の箇所に設けられ、操作部５３は電子鍵盤楽器の操作パネル等に設けられ、これらは電線及び信号線を介して電磁石５１に接続されている。したがって、操作部５３を操作することにより、４個の電磁石５１を選択的に励起させ、磁界を制御することができる。非押鍵状態において回動部材２１内の錘部材２３は、励起された電磁石に引きつけられて収納部２４内で位置を変え得るように、電磁石５１に接近して位置する。
【００２３】
この鍵盤装置は、次のように作動する。前述のように、鍵１０を押し下げるとアクチュエータ１１により質量体２０は回動支点４１回りに回動する。この回動は錘部材２３の移動を伴うので、その慣性反力が押鍵抵抗として奏者に感じられる。したがって、電磁石５１を選択的に励起して錘部材２３の位置を変えることにより、押鍵による動作時の回動部材２１の重心位置が変化し、これに伴って慣性反力が変化し、奏者が感じるタッチの重さが変わることとなる。例えば、図示の状態から、最も前方の電磁石５１ａを励起すると、２個の錘部材２３は前方へ移動する。移動後は、上下のライナー２５により挟持されて錘部材２３の位置が保持される。この状態で押鍵すると、回動支点４１から回動部材２１の重心位置までの距離は小さいので、質量体２０が回動する際の慣性反力も小さい。したがって、奏者に与えるタッチ感が軽くなる。一方、励起する電磁石を後方の電磁石５１ｂ，５１ｃ，５１ｄにするほど、錘部材２３は収納部２４内で後方へ移動し、回動支点４１から回動部材２１の重心位置までの距離は大きくなり、これに伴って質量体２０が回動する際の慣性反力も大きくなり、奏者に与えるタッチ感は重くなる。
【００２４】
２個の錘部材２３を移動させるには、隣り合う２個の電磁石５１を同時に励起してもよい。例えば、電磁石５１ａ及び５１ｂを同時に励起することにより、各々が錘部材２３を引きつけることができる。或いは、離間した２個の電磁石５１を同時に励起することにより、２個の錘部材２３を各々別の電磁石に引きつけて位置決めすることもできる。例えば、図示の状態から、電磁石５１ａにより前方の錘部材２３を前方へ、電磁石５１ｃにより後方の錘部材２３を後方へ移動させることができ、電磁石５１ｄの励起により後方の錘部材２３のみをさらに後方へ移動させることもできる。このように、選択的に励起する電磁石を単数及び複数とする多様な制御により、タッチ感も多様に変化させることができる。
【００２５】
また、励起する電磁石を大きく離間した電磁石に切り替える場合、磁力が十分に到達すれば、それによって錘部材を移動させることができるが、磁力の作用が不十分な場合は、励起している電磁石に近接した電磁石の励起を経た後に、より遠い電磁石を励起するのが望ましい。このためには、操作部５３により、大きく離間した電磁石が選択されたときにその間にある電磁石を順次、錘部材の移動のための時間差をもって励起していくように制御部５２の設定をすることができる。
【００２６】
制御部５２は、タッチ感変更のために操作部５３が操作された時にのみ電磁石５１を励起するようにしてもよいし、操作部５３による選択が行なわれた後は、次の選択に切り替えられるまで同じ電磁石５１を励起し続けるようにしてもよい。前者の設定によれば、電磁石への電力供給を節約することができる。一方、後者の設定によれば、錘部材２３は非押鍵状態となる毎に磁力を受けるので設定位置が安定する。さらに、後者のように、連続的に電磁石５１を励起させた場合は、押鍵と共に質量体２０が電磁石５１から離れるに従って磁力の作用が強い状態から次第に弱まるので、押鍵初期のタッチに重みを与え、押鍵の進行と共に押鍵抵抗が軽くなるタッチ感を与えることができる。また、離鍵時には、質量体２０が元の位置に戻るにしたがって電磁石５１に近づくので、元の位置に近づいた質量体を迅速に戻すことになり、メリハリのはっきりした鍵動作とタッチ感が得られる。
【００２７】
ライナー２５等による収納部２４内での錘部材２３の保持を緩く設定すると、強い押鍵により質量体２０が速く回転したときに、錘部材２３は、強い遠心力が作用して回動支点４１から遠ざかる方へ移動するようになる。この場合も、質量体２０が非押鍵状態に戻ると錘部材２３は電磁石５１に引きつけられて元の位置に戻る。この設定によれば、収納部２４内の錘部材２３は、回動による遠心力を受けたときに、弱い押鍵時には移動せず、強い押鍵時に後方へ移動し鍵を戻すと元の位置に戻るという動作をする。これにより、強い押鍵時に、後方へ移動する錘部材２３によりタッチが重くなるので、奏者に押鍵の強弱に応じたタッチ感を与えることができる。この設定を採用した場合は、非押鍵状態への復帰、又は押鍵の開始を、鍵や質量体等の動作で検知し、その一方又は双方において電磁石５１を励起するように、制御部５２による制御を行なうのが望ましい。勿論、電磁石５１を連続的に励起し続けてもよいが、このように間歇的に励起することにより、電磁石への通電による電力の無駄が省かれる。
【００２８】
図１の実施形態に関して説明した以上の各制御形態は、以下の他の実施形態においても適用し得る。
【００２９】
図２は、本発明に係る鍵盤装置の他の実施形態を示しており、ここでは、質量体のみを図示しており、他の部材は、以下で言及する事項を除いて先の実施形態と同様に構成される。この点は、以下に説明する他の実施形態においても同様である。図示の質量体２０ａは、収納部２４ａに錘の移動後の分布状態を区分する仕切り部６１が設けられている。仕切り部６１は、この実施形態では４個設けられ、収納部２４ａを囲む回動部材２１の下壁から上方へ延びて空洞を５個のエリアに区分している。図１に示したものと同様の構造の電磁石が、これらのエリアに対応して５個配置される。仕切り部６１は可撓性を有しており、その可撓性の程度は、電磁石が作用したときに錘部材が仕切り部６１を撓ませて移動するのを許容すると共に、次に他の電磁石の磁力が作用するまで移動を抑制し得る程度とされる。このように収納部２４ａの空洞が仕切り部６１で仕切られることにより、錘部材は、磁界制御による移動後に、仕切り部により分布状態を保持されるので、制御後の状態が確保され、安定したタッチ感が得られる。
【００３０】
区分されたエリア間での錘部材２３ａの移動と保持を適切にするために、仕切り部６１は、その可撓性の程度に応じて高さを決めることができ、図示のように収納部２４ａを囲む上壁より低くすることも可能である。また、錘部材２３ａは、仕切り部６１で保持されるので、図１に示したものより小さくし、１つのエリア内で上下に複数の層をなすようにすることもできる。
【００３１】
図３に示す質量体２０ｂは、収納部２４ｂ内の下部に保持プレート６３が設けられている。該保持プレート６３は、回動部材２１の長手方向に沿って延び、収納部２４ｂ上壁との間に錘部材２３ｂを保持している。保持プレート６３には、幅方向に２列、長手方向に３箇所、計６個の貫通孔が設けられ、そこにピン６４が緩く通され、該ピンの下端は回動部材２１の下壁に螺入して固定されている。図には、紙面手前側の１列のピンのみが示されており、紙面奥側の１列のピンは、手前側のピンと図の奥行き方向において同じ位置に設けられている。ピン６４の上端のほぼ半球状をなすヘッドは、この実施形態において仕切り部６１ｂの役割をなす。ピン６４の下部には、保持プレート６３と回動部材２１下壁との間に圧縮コイルばね６５が嵌められている。したがって、保持プレート６３は、常にばね６５により押し上げ力を受けている。
【００３２】
収納部２４ｂの空洞は、仕切り部６１ｂにより４つに区分されており、図１に示したものと同様の構造の電磁石が、これらのエリアに対応して４個配置される。錘部材２３ｂは、この実施形態では１個のブロック状とされており、前後方向には１つのエリアに納まる寸法とされ、上下方向には保持プレート６３と収納部２４ｂの上壁とに接する寸法とされる。
【００３３】
ピン６４のヘッドによる仕切り部６１ｂの高さと形状、及び圧縮コイルばね６５のばね力は、電磁石が作用したときに錘部材２３ｂがばね６５を圧縮しつつ仕切り部６１ｂを乗り越えて移動するのを許容すると共に、次に他の電磁石が作用するまで移動を抑制し得る程度とされる。これにより、錘部材２３ｂの移動は、仕切り部６１ｂ毎に段階的に行なわれる。このようにして、収納部２４ｂの空洞が仕切り部６１ｂで仕切られることにより、錘部材は、磁界制御による移動位置を保持されるので、制御後の状態が確保され、安定したタッチ感が得られる。
【００３４】
一方、収納部２４ｂ内での錘部材２３ｂの保持力を弱くし、質量体回動時の遠心力で移動し得る設定とすることもできる。このときには、質量体回動時の遠心力により移動した錘部材は、鍵の戻りと共に元のエリアに復帰する。その際の錘部材の移動範囲は、錘部材に作用する遠心力、すなわち押鍵強さに応じて、隣のエリア、さらに離れたエリアとなるように錘部材が移動し得ることから、その移動に応じてタッチ感の変化を奏者に与えることができる。
【００３５】
図４に示す質量体２０ｃは、収納部２４ｃ内が収納部の上下壁間に延びる壁状の仕切り部６１ｃにより４つのエリアに仕切られ、各々のエリアは閉じた室となっている。錘部材２３ｃは、これらのエリアＡ１，Ａ２，Ａ３，Ａ４に収容されており、図１に示したものと同様の構造の電磁石が、これらのエリアＡ１，Ａ２，Ａ３，Ａ４に対応して４個配置される。この実施形態では、励起する電磁石の切り替えにより、錘部材２３は各エリア内で電磁石の方へ移動する。したがって、仕切り部６１ｃを越えた移動は行なわれない点で、上記の実施形態と異なる。励起される電磁石が切り替えられると、錘部材は、各エリア内で移動する。
【００３６】
図４に示した状態では、すべての錘部材２３ｃが後方へ移動しているが、例えば、この状態からエリアＡ２の下方の電磁石を励起すると、錘部材２３ｃは、エリアＡ１ではエリアの後方、エリアＡ２ではエリアの中央、エリアＡ３，Ａ４ではエリアの前方に位置することになる。このようにして、励起する電磁石に応じて、錘部材による慣性が変化し、タッチの重さが調整される。錘部材は、質量体回動時の遠心力により後方へ移動しても、非押鍵状態に復帰すると磁力を受けて元の位置に戻るので、次の押鍵時には、電磁石により設定されたタッチ重さとなる。
【００３７】
図５に示す質量体２０ｄは、収納部２４ｄの下壁から上方へ延び、上壁との間に間隙を形成する４個の壁状の仕切り部６１ｄを備え、収納部２４ｄは５つのエリアに仕切られている。錘部材２３ｄは、この実施形態では、磁性を有する微粒子又は流体とされている。図１に示したものと同様の構造の電磁石が、これらのエリアに対応して５個配置される。仕切り部６１ｄは可撓性を有しており、その可撓性の程度は、電磁石が作用したときに錘部材が仕切り部６１ｄを撓ませて移動するのを許容すると共に、次に他の電磁石が作用するまで移動を抑制し得る程度とされる。また、仕切り部６１ｄの撓みの程度によって、移動する錘部材２３ｄの量は変化する。このように収納部２４ｄの空洞が仕切り部６１ｄで仕切られることにより、錘部材は、仕切り部により分布状態を保持されるので、制御後の状態が確保され、安定したタッチ感が得られる。また、微粒子及び流体は、エリア間を移動する際に流動体として滑らかに移動する。したがって、移動の際の衝突音が減少し、雑音として聞こえるのを防止することができる。
【００３８】
図６(a)に示す質量体２０ｅは、収納部２４ｅを囲む壁部の内、下面、前端面及び後端面に永久磁石６７が埋設されている。永久磁石６７は、この実施形態では、６７ａ〜６７ｆまでの６個が収納部２４ｅの空洞に臨んで配置されている。図１に示したものと同様の構造の電磁石が、非押鍵状態における回動部材２１の下方の位置に配置される。電磁石は、各永久磁石の間に位置するように設けてもよいし、永久磁石の位置に対応することなく、永久磁石の数よりも多く又は少なく設けてもよい。錘部材２３は、この実施形態では磁性を有する細粒とされている。
【００３９】
励起する電磁石を切り替えると、錘部材２３ｅは、永久磁石の吸引力に抗して電磁石に引きつけられて移動する。そして、移動後は、永久磁石６７に引きつけられて移動位置に保持される。こうして、移動位置に確保されることにより、安定したタッチ感が得られる。
【００４０】
磁力の強い永久磁石６７を用いた場合は、質量体２０ｅの回動により錘部材２３ｅに強い遠心力が働いても錘部材は収納部２４ｅ内で移動しない。したがって、図６(a)の状態を保って押鍵及び離鍵に伴う回動部材の動作が行なわれる。一方、弱い永久磁石６７を用いた場合は、質量体２０ｅの回動により錘部材２３ｅに遠心力が働く遠心力が強いと、錘部材は図６(b)に示すように収納部２４ｅ内で後方へ移動する。そして、回動部材２１ｅが元の位置に戻ると、錘部材２３ｅは電磁石に引き寄せられて押鍵前の位置に復帰する。このように、錘部材２３ｅの移動及び復帰が行なわれる場合は、強い押鍵時に、後方へ移動する錘部材２３によりタッチが重くなるので、奏者に押鍵の強弱に応じたタッチ感を与えることができる。
【００４１】
なお、錘部材は、径のより大きい複数の塊状のもの、又は単一のブロック状のものとすることもでき、電磁石の吸引によりこれらを収納部上で摺動させることができる。また、錘部材の形状を球体やローラ状とすれば、転がりによる円滑な移動が得られる。
【００４２】
図７は、鍵盤Ｋに対する電磁石の位置調節機構の例を示している。この例では、電磁石５１が、鍵並び方向に延びる長尺部材７１に装着されている。図には表れていないが、この長尺部材７１と鍵盤との間に質量体が位置する。長尺部材７１の両端部は、駆動部７２に結合されており、駆動部７２は制御部５２ａを経て操作部５３ａに接続されている。駆動部７２は、操作部５３ａによる操作部５３ａからの信号にしたがって、長尺部材７１の端部を鍵奥行き方向に移動させる。これにより、複数の鍵に対する電磁石５１の位置制御を長尺部材端部の移動により一括して行なうことができる。例えば、図示の状態から図の右側の駆動部７２により長尺部材７１端部を後方へ移動すれば、全ての電磁石５１を鍵並び方向に並行に位置させることができる。このようにして、磁界制御によるタッチ感のキースケーリングがより簡便となる。なお、図には各鍵に対して１個の電磁石を示しているが、長尺部材７１上で、複数の電磁石を鍵奥行き方向に配置することも可能である。
【００４３】
図８は、本発明に係る鍵盤装置のさらに他の実施形態を、前後方向に沿う断面で示している。回動部材２１ｆは、鍵盤装置の前後方向に細長く延びており、収納部２４ｆの空洞は、非押鍵状態において水平方向に長く延びた形状となっている。収納部２４ｆには、仕切り部６１ｆが回動部材２１ｆの下壁から上方へ延びるようにして７個設けられ、空洞を８個のエリアに区分している。仕切り部６１ｆは可撓性を有しており、その可撓性の程度は、下方の電磁石５１ｆが移動したときに錘部材が仕切り部６１を撓ませて移動するのを許容すると共に、電磁石が他の位置に移るまで錘部材の位置を保持し得る程度とされる。
【００４４】
図８は、同一の図面により以下に説明する２つの形態を示している。第１の形態は、図７に示した長尺部材の駆動部の具体例である。鍵盤フレーム４０を支持する棚板４４には、一連の鍵盤の低音側から高音側に亘る範囲において、質量体２０ｆの下方部分に開口部４４０が形成され、該開口部に各鍵毎に電磁石５１ｆが配置されている。図７に示した長尺部材は、この例では取付け部材８１として、その横断面が示されており、電磁石５１ｆは、取付け部材８１上で鍵並び方向に並んだ状態で支持されている。一連の鍵盤の低音側及び高音側の端部の外側には、駆動部８０が配置されている。各駆動部８０は、鍵奥行き方向に延びるベルト８２をベルト車８３、８４に巻き掛け、一方のベルト車８３に駆動モータ８５を接続して構成されている。長尺の取付け部材８１の両端部は、各ベルト８２に支持されている。駆動モータ８５は制御部５２ｂを経て操作部５３ｂに接続されている。これにより、取付け部材８１は、操作部５３ｂの操作にしたがって、両端部を鍵奥行き方向に移動し、これに伴って電磁石５１ｆの位置調節が行なわれる。
【００４５】
図８が示す第２の形態は、鍵毎に駆動部８０が設けられた例である。すなわち、開口部４４０の下方には各鍵毎にベルト８２、ベルト車８３、８４及びモータ８５が配置され、各モータは制御部５２ｂを経て操作部５３ｂに接続されている。取付け部材８１は、この例では鍵の幅内に納まる短尺のものとされ、１つの鍵の電磁石５１ｆに対して１個設けられ、各々に対応したベルト８２に取り付けられている。これにより、各取付け部材８１は、操作部５３ｂの操作したがって、鍵奥行き方向に移動し、これに伴って各電磁石５１ｆが位置調節される。
【００４６】
図８が示す上記２形態のいずれにおいても、各鍵に関して単一の電磁石により錘部材の位置を変え、タッチ感の調整をすることができる。但し、電磁石は、ベルト８１上に複数設けることも可能である。錘部材は、図示の例では、細粒とされているが、微粒子又は流体、或いは複数の塊状とすることもできる。また、駆動部８０による電磁石の移動は、非押鍵状態において行なわれるようにする他、押鍵途中において行なわれるようにすることもできる。後者の移動形態によれば、押鍵を開始した後にタッチ感が変わるので、動的なタッチ感の変化を奏者に与えることができる。このような押鍵途中での電磁石の移動は、非押鍵状態又は押鍵途中での操作部５３ｂの操作によって生じるように、制御部５２ｂの設定することにより得られる。以上の駆動部８０を備えた磁界制御手段は、上に述べた各実施形態にも適用することができる。
【００４７】
本発明は、上記実施形態に限定されるものではなく、種々の変形が可能であり、各図の実施形態について説明した変更態様は、他の実施形態に対しても適用することができる。
【図面の簡単な説明】
【００４８】
【図１】本発明に係る鍵盤装置の一実施形態を前後方向に沿う断面で示す図である。
【図２】本発明の他の実施形態に係る鍵盤装置に用いられる質量体の縦断面図である。
【００４９】
【図３】本発明のさらに他の実施形態に係る鍵盤装置に用いられる質量体の縦断面図である。
【図４】本発明のさらに他の実施形態に係る鍵盤装置に用いられる質量体の縦断面図である。
【図５】本発明のさらに他の実施形態に係る鍵盤装置に用いられる質量体の縦断面図である。
【図６】本発明のさらに他の実施形態に係る鍵盤装置に用いられる質量体の縦断面図である。
【図７】本発明のさらに他の実施形態に係る鍵盤装置を示す平面図である。
【図８】本発明のさらに他の実施形態に係る鍵盤装置を前後方向に沿う断面で示す図である。
【符号の説明】
【００５０】
１０  鍵盤
２０，２０ａ，２０ｂ，２０ｃ，２０ｄ，２０ｅ，２０ｆ  質量体
２１  回動部材
２３，２３ａ，２３ｂ，２３ｃ，２３ｄ，２３ｅ，２３ｆ  錘部材
２４，２４ａ，２４ｂ，２４ｃ，２４ｄ，２４ｅ，２４ｆ  収納部
４０  鍵盤フレーム（支持部材）
５０  磁界制御手段
５１  電磁石
７１  長尺部材
【図１】
2009092861.tif 000003
【図２】
2009092861.tif 000004
【図３】
2009092861.tif 000005
【図４】
2009092861.tif 000006
【図５】
2009092861.tif 000007
【図６】
2009092861.tif 000008
【図７】
2009092861.tif 000009
【図８】
2009092861.tif 000010